(57)【特許請求の範囲】
【請求項１】
吸引ダクトの端部にエアーの取入口を取付け、患者の口からの排出物をエアーの取入口から吸引ダクトへ吸引し、このエアーの取入口に透明プロダクト部を着脱自在に設けた医療用プロテクトアタッチメントにおいて、
前記吸引ダクトの基端部と取入口との間に上下左右方向に回動する自在継手を介装し、
前記取入口にクリップ状の装着部を形成し、装着部のバネを利用して透明プロテクト部を取り付け、又は装着部を用いずに吸引ダクトに透明プロテクト部を磁力で吸着させて取り付け、
前記透明プロテクト部を患者の顔全体を覆うことができる程度の大きさ及び形状に形成するとともに、この透明プロテクト部表面に付着したものとの剥離性が良好な物質から当該プロテクト部を形成し、あるいは当該プロテクト部の表面に離型剤を塗布したことを特徴とする医療用プロテクトアタッチメント。
【請求項２】
前記透明プロテクト部の表面に反射防止膜を塗布したことを特徴とする請求項１に記載の医療用プロテクトアタッチメント。
【請求項３】
前記患者の顔を覆う透明プロテクト部の上に医師の顔を覆うことができるような別の透明プロテクト部を形成したことを特徴とする請求項１又は２に記載の医療用プロテクトアタッチメント。
【発明の詳細な説明】
【０００１】
【発明の属する技術分野】
この発明は、切削、研磨、手術等の各種医療作業を行う際に患者から飛散する血液、唾液、体液、粉体或いは粒状等の切削・研磨屑等が歯科医師、医師の体の一部等に衝突・付着するのを防止する医療用プロテクトアタッチメントに関するものである。
【０００２】
【従来の技術】
また、例えば歯科医師による歯の治療を行う場合にも、虫歯の切削・研磨等の処置を行う際に切削屑や唾液が歯科医師の顔に飛び込んで来たり、治療に伴う出血によって血液が目や口等に入り込んできて汚染される虞れもある。
このような事情から、マスクやメガネをかけることがあるが、血液が原因により感染するエイズ（ＨＩＶ）やＢ型肝炎などのような死亡率が高く有効な治療手段が開発されていない感染症を予防するためには有効な防御手段となっていない。
【０００３】
そこで、このような歯の治療などの場合にも、透明なプラスチック樹脂等で形成されて首から下げたり頭に取り付けるようにしたフェイスシールド１００、１０１（図７及び図８参照）や水中眼鏡のように顔に密着させて取り付けるセイフテイゴーグルのようなものが開発されている。
【０００４】
【発明が解決しようとする課題】
しかしながら、このような防護マスクや防護眼鏡或いはフェイスシールドやセイフテイゴーグルのようなものは、いずれも装着者の体の一部を利用して取り付けるように構成されているものであり、歯科医師による治療作業ばかりでなく、手術等を伴う医師による治療作業などでも同様である。
【０００５】
しかも、このようなものでは、治療の際に発生する各種の粉や液体が顔に付着しないまでも、体の一部に付着堆積する場合が多いから、治療後の着衣等の洗浄などが必要であり、その点でも不都合である。
【０００６】
また、特開平８−３３６５９号公報に記載のように吸引ノズルの近傍に遮蔽板を取付けたものも知られている。ところが、これは、ノズルと遮蔽板との間に比較的大きな空間があるので、この空間部分では削り粉などの一部がうまく取り除けない等の不都合を生じている。また、遮蔽板をノズル側に溶接するときに、そのノズル部分がじゃまになり、うまく溶接できない虞れもある。
【０００７】
そこで、この発明は、使用者の体に装着せずに使用することができ、換言すれば各種治療の際の邪魔にならず、しかも飛散して飛び込んでくる屑や血液その他のものを洩れなく吸引して取り除くことができるのでこれらの層や血液から顔等を確実に防護することができ、同時に治療の部位を明るく照明することができ、さらにどこにでも設置可能な医療用プロテクトアタッチメントを提供することを目的とするものである。
【０００８】
【課題を解決するための手段】
上述の目的を達成するため、請求項１にかかる発明は、吸引ダクトの端部にエアーの取入口を取付け、患者の口からの排出物をエアーの取入口から吸引ダクトへ吸引し、このエアーの取入口に透明プロダクト部を着脱自在に設けた医療用プロテクトアタッチメントにおいて、前記吸引ダクトの基端部と取入口との間に上下左右方向に回動する自在継手を介装し、前記取入口にクリップ状の装着部を形成し、装着部のバネを利用して透明プロテクト部を取り付け、又は装着部を用いずに吸引ダクトに透明プロテクト部を磁力で吸着させて取り付け、前記透明プロテクト部を患者の顔全体を覆うことができる程度の大きさ及び形状に形成するとともに、この透明プロテクト部表面に付着したものとの剥離性が良好な物質から当該プロテクト部を形成し、あるいは当該プロテクト部の表面に離型剤を塗布したものである。
【０００９】
また、前記自在継手としては、ユニバーサルジョイントを予定し、さらに前記透明プロテクト部の剥離性を良好にするため、形成材料を選択するか、離型剤を表面に塗布する。
【００１０】
また、この請求項２に係る発明は、前記透明プロテクト部の表面に反射防止膜を塗布したものである。
【００１１】
また、この請求項３に係る発明は、前記患者の顔を覆う透明プロテクト部の上に医師の顔を覆うことができるような別の透明プロテクト部を形成したものである。
【００１２】
【発明の実施の形態】
以下、この発明の好適な実施例について添付図面を参照しながら説明する。
図１及び図２は、この発明に係る医療用プロテクトアタッチメントを示すものであり、このプロテクトアタッチメントは、アームＡ（若しくは治療テーブル、ヘッド等）に固定・設置した吸引ダクト１の先端部に設けたエアーの取入口２と、この取り入れ口２に着脱自在に設けた透明プロテクト部３とを備えている。
【００１３】
吸引ダクト１は、伸縮自在及び／又は回動自在のフレキシブル構造となっており、アームＡ等に沿って設置されているが、例えばこれ単独で直立保持等できるような自身で所望の形状を保持できるような構造であれば、アーム等に取り付けずに自立させてもよい。
【００１４】
取入口２は、硬質の材料で形成されて図示外の基端部側の吸引ポンプに連結されているが、吸引ダクト１の基端部１Ａと直接連結されているから所望の方向に自在に回動・首振りさせた状態で保持できるように構成されている。また、この取入口２は、開口部が拡開した形状に形成されており、広くエアーを取り込むことができるようになっている。
なお、この発明では、取入口２と吸引ダクトの基端部側との間に上下左右方向に回動する自在継手（ユニバーサルジョイント）を介装させてもよい。
【００１５】
また、この取入口２にはクリップ状の装着部４が形成されており、ここに設けたバネを利用して透明プロテクト部３をしっかりと（着脱自在に）取り付けることができる。
【００１６】
透明プロテクト部３は、患者の顔全体を覆うことができる程度の大きさ及び形状（例えば長円形若しくは円形）を有する透明カバーで構成されている。透明カバーは、特に外周縁部には鋭利なエッジが形成されぬように面取りされているが、Ｒ状に曲面加工して周縁部の割れの防止等を図るようにしてもよい。またこの透明カバーは、ガラス或いは透明樹脂、例えば塩化ビニール、ポリカーボネイト、ポリスチレン、アクリル樹脂等を使用して形成されている。さらに、この透明カバーは、血液、唾液、その他の体液等が付着しても容易に除去できるようにするため、剥離性の良好な物質で形成するのが好ましいが、表面に離型剤を塗布しても構わない。なお、この透明カバーの表面に適宜の反射防止膜を塗布してあれば好都合である。
【００１７】
また、この透明プロテクト部３は、患者が変わるたびに新しいものと毎回簡単に交換できるようにするため、板状（若しくは棒状）に形成された突設部３Ａが、ばね力で装着部４に着脱自在となっている。なお、この発明では、クリップ状の装着部の替わりに、手でのワンタッチ着脱が容易に実現できる各種各様の着脱手段で固定してもよい。このようにすることによって、患者が変わるたびに頻繁に交換する煩わしい透明プロテクト部の交換作業から解放される。
例えば、図３及び図４に示すように、装着部３Ａ側の端部に、鉄等で形成された磁性体からなる吸着体３１を設けるとともに、これに対向する吸引ダクト１Ａの先端部に永久磁石（マグネット）１１を固設し、この永久磁石１１が吸着体３１を吸着して、透明プロテクト部３をしっかりと固定するような磁力を利用したものであってもよい。また、これとは逆に、装着部側に永久磁石を固設するとともに、吸引ダクト１Ａの先端部に吸着体を設けてもよい。さらに、双方に永久磁石を固設する構成であってもよい。
【００１８】
さらにまた、この透明プロテクト部の形状はこの実施例のものに限定されるものではなく、例えば図５又は図６に示すように、研磨作業等の際に医師等の顔を完全に覆うことができるようなような形状に透明材料で形成した透明プロテクト部３′又はこの他に患者の顔の一部（少なくとも治療に支障のない部分を覆う）も覆うことができる透明プロテクト部３″でもよい。
【００１９】
従って、この実施例によれば、患者の治療状態、例えば上半身を起立させた場合にはその患者の顔の位置に合わせて取入口２を起こす等して都合のよい所望の位置に自在に姿勢を変更させ、透明プロテクト部３の位置合わせを行うことができる。
【００２０】
また、例えば、患者を寝かせた恰好で治療を行う場合には、アーム２を大きく折曲させて、透明プロテクト部３を患者の顔の位置と対応する所まで移動させることができる。しかも、透明プロテクト部３を適宜回動すれば、この患者の顔の向きに合わせて自由に向きを調整することもできる。
【００２１】
しかも、適宜の固定手段でアーム等に固定するように構成すれば、設置場所には特に制約を受けないから適用範囲が格段と広がる。
【００２２】
【発明の効果】
以上説明してきたように、この発明によれば、吸引ダクトの端部にエアーの取入口を取付け、患者の口からの排出物をエアーの取入口から吸引ダクトへ吸引し、このエアーの取入口に透明プロダクト部を着脱自在に設けた医療用プロテクトアタッチメントにおいて、前記吸引ダクトの基端部と取入口との間に上下左右方向に回動する自在継手を介装し、前記取入口にクリップ状の装着部を形成し、装着部のバネを利用して透明プロテクト部を取り付け、又は装着部を用いずに吸引ダクトに透明プロテクト部を磁力で吸着させて取り付け、前記透明プロテクト部を患者の顔全体を覆うことができる程度の大きさ及び形状に形成するとともに、この透明プロテクト部表面に付着したものとの剥離性が良好な物質から当該プロテクト部を形成し、あるいは当該プロテクト部の表面に離型剤を塗布したので、顔等に対する血液や体液等の保護を行うことができるばかりでなく、衣服等への血液や体液等の付着から解放され、クリーンで安全な治療空間が実現できる。
【００２３】
また、透明プロテクト部に剥離性を付与したものでは、体液の付着も容易に除去できる。
【図面の簡単な説明】
【図１】この発明の第１実施例に係る医療用プロテクトアタッチメントを示す斜視図。
【図２】医療用プロテクトアタッチメントのII-II 線断面図。
【図３】着脱部分の変形例を示す説明図。
【図４】同説明図。
【図５】透明プロテクト部の変形例を示す概略斜視図。
【図６】さらに他の変形例を示す概略斜視図。
【図７】従来例を示す説明図。
【図８】他の従来例を示す説明図。
【符号の説明】
１  吸引ダクト
２  取入口
３，３′，３″  透明プロテクト部
４  装着部
Ａ  アーム
【図１】
0004002653.tif 000002
【図２】
0004002653.tif 000003
【図３】
0004002653.tif 000004
【図４】
0004002653.tif 000005
【図５】
0004002653.tif 000006
【図６】
0004002653.tif 000007
【図７】
0004002653.tif 000008
【図８】
0004002653.tif 000009